(57)【要約】      （修正有）【課題】カレンダ本体部に一体的に収容部形成領域を設け、この収容部形成領域を組み立てて筆記具収容部とすることができるカレンダを提供する。【解決手段】カレンダ表示領域１２を有するカレンダ本体部２を備え、カレンダ表示領域１２の下方には、筆記具収容部を形成するための収容部形成領域１８が設けられ、収容部形成領域１８は、第１〜第３領域２０，２２，２４を有し、第１及び第２領域２０，２２の両端部には、第１スリット２６を形成することによって枠部領域２８が設けられている。第３領域２４の両端部には、両端から内側に延びる第２スリット３０を形成することによって挿入片領域３２が設けられている。第２領域２２及び第３領域２４は谷折りされ、また枠部領域２８は山折りされ、かかる状態にて挿入片領域３２が枠部領域２８の内側に挿入されて筆記具収容部が組み立てられる。【選択図】図１
2014108551.tif 000002
【特許請求の範囲】
【請求項１】
カレンダ表示領域を有するカレンダ本体部を備え、前記カレンダ本体部における前記カレンダ表示領域の下方には、筆記具収容部を形成するための収容部形成領域が設けられ、前記収容部形成領域は、前記筆記具収容部の後壁を構成するための第１領域、前記筆記具収容部の底壁を構成するための第２領域及び前記筆記具収容部の前壁を構成するための第３領域を有しており、
前記第１及び第２領域の両端部には、前記第１及び第２領域にわたって延びる第１スリットを形成することによって枠部領域が設けられ、前記第３領域の両端部には、両端から内側に延びる第２スリットを形成することによって挿入片領域が設けられており、
前記第１領域と前記第２領域との間の第１境界線、及び前記第２領域と前記第３領域との間の第２境界線は谷折りされ、また前記枠部領域における前記第１領域と前記第２領域との間の第３境界線は山折りされ、かかる状態にて前記第３領域の前記挿入片領域が前記枠部領域の内側に挿入されて前記筆記具収容部が組み立てられることを特徴とするカレンダ。
【請求項２】
前記カレンダ本体部の上側にはリング状連結部材を介してカレンダ上部が装着されているとともに、前記カレンダ上部にカレンダ裏面表示領域が設けられており、また前記カレンダ本体部と前記カレンダ上部との間に、カレンダ情報が表示されたカレンダ表示部が前記リング状連結部材に装着されており、通常状態においては、前記カレンダ表示部は前記カレンダ本体部の前記カレンダ表示領域に位置し、捲り上げた状態においては、前記カレンダ表示部は前記カレンダ上部の前記カレンダ裏面表示領域に位置することを特徴とする請求項１に記載のカレンダ。
【請求項３】
前記カレンダ上部の前記カレンダ裏面表示領域に近接して保持片が設けられ、捲り上げた状態においては、前記カレンダ表示部は前記カレンダ上部の前記カレンダ裏面表示領域に位置して前記保持片に保持されることを特徴とする請求項２に記載のカレンダ。
【請求項４】
前記カレンダ本体部は、前記カレンダ上部を裏側に捲ることによって卓上型使用形態として使用可能であり、前記卓上型使用形態においては、前記カレンダ本体部の前記収容部形成領域が背面側に折り返され、前記カレンダ上部の上端部が手前側に折り返され、前記カレンダ本体部の前記収容部形成領域と前記カレンダ上部の前記上端部とが連結構造により連結されることを特徴とする請求項２又は３に記載のカレンダ。
【請求項５】
前記連結構造は、前記カレンダ本体部の前記収容部形成領域に設けられた受入れスリットと、前記カレンダ上部の上端部に設けられた連結挿入片とから構成され、前記カレンダ上部の前記上端部は、前記カレンダ本体部の背面側に折返された前記収容部形成領域を下側から覆うように手前側に折り返され、前記カレンダ上部の前記連結挿入片が前記収容部形成領域の前記受入れスリットに外側から内側に向けて挿入されることを特徴とする請求項４に記載のカレンダ。
【発明の詳細な説明】
【技術分野】
【０００１】
本発明は、壁などに掛けて使用するカレンダに関する。
【背景技術】
【０００２】
カレンダの一例として、行事予定などを記入するための記入欄を設けたものが広く用いられている。このようなカレンダを用いた場合、記入欄に記入する際に鉛筆、ボールペンなどの筆記具が必要となり、このようなことから、カレンダに筆記具を収容するための収容具を設けたものが提案されている（例えば、特許文献１参照）。
【０００３】
このカレンダでは、カレンダ情報を表示するカレンダ紙が保持枠に保持され、この保持枠に収容具の基材も併せて保持され、この基材を所要の通りに折り込むことによって収容具が組み立てられる。この収容具を備えたカレンダでは、組み立てた収容具内に筆記具を収容することができるために、この筆記具を用いることにより、カレンダ紙の記入欄に行事予定などを直ぐに記入することができる。
【先行技術文献】
【特許文献】
【０００４】
【特許文献１】特開２００１−８０２８２号公報
【発明の概要】
【発明が解決しようとする課題】
【０００５】
しかしながら、この従来のカレンダでは、収容具の基材を別個に製作して保持枠に保持しなければならず、そのための作業工程が多くなる。また、組み立てた収容具がカレンダの上端部に配置される構成であるために、このカレンダを例えば壁面の高い位置に掛けた場合、この収容具の位置も高くなり、小さい子供などは、収容具に収容された筆記具が取り難く、また外観上の見栄えもよくない。
【０００６】
本発明の目的は、カレンダ本体部に一体的に収容部形成領域を設け、この収容部形成領域を組み立てて筆記具収容部とすることができるカレンダを提供することである。
【課題を解決するための手段】
【０００７】
本発明の請求項１に記載のカレンダは、カレンダ表示領域を有するカレンダ本体部を備え、前記カレンダ本体部における前記カレンダ表示領域の下方には、筆記具収容部を形成するための収容部形成領域が設けられ、前記収容部形成領域は、前記筆記具収容部の後壁を構成するための第１領域、前記筆記具収容部の底壁を構成するための第２領域及び前記筆記具収容部の前壁を構成するための第３領域を有しており、
前記第１及び第２領域の両端部には、前記第１及び第２領域にわたって延びる第１スリットを形成することによって枠部領域が設けられ、前記第３領域の両端部には、両端から内側に延びる第２スリットを形成することによって挿入片領域が設けられており、
前記第１領域と前記第２領域との間の第１境界線、及び前記第２領域と前記第３領域との間の第２境界線は谷折りされ、また前記枠部領域における前記第１領域と前記第２領域との間の第３境界線は山折りされ、かかる状態にて前記第３領域の前記挿入片領域が前記枠部領域の内側に挿入されて前記筆記具収容部が組み立てられることを特徴とする。
【０００８】
また、本発明の請求項２に記載のカレンダでは、前記カレンダ本体部の上側にはリング状連結部材を介してカレンダ上部が装着されているとともに、前記カレンダ上部にカレンダ裏面表示領域が設けられており、また前記カレンダ本体部と前記カレンダ上部との間に、カレンダ情報が表示されたカレンダ情報部が前記リング状連結部材に装着されており、通常状態においては、前記カレンダ表示部は前記カレンダ本体部の前記カレンダ表示領域に位置し、捲り上げた状態においては、前記カレンダ表示部は前記カレンダ上部の前記カレンダ裏面表示領域に位置することを特徴とする。
【０００９】
また、本発明の請求項３に記載のカレンダでは、前記カレンダ上部の前記カレンダ裏面表示領域に近接して保持片が設けられ、捲り上げた状態においては、前記カレンダ情報部は前記カレンダ上部の前記カレンダ裏面表示領域に位置して前記保持片に保持されることを特徴とする。
【００１０】
また、本発明の請求項４に記載のカレンダでは、前記カレンダ本体部は、前記カレンダ上部を裏側に捲ることによって卓上型使用形態として使用可能であり、前記卓上型使用形態においては、前記カレンダ本体部の前記収容部形成領域が背面側に折り返され、前記カレンダ上部の上端部が手前側に折り返され、前記カレンダ本体部の前記収容部形成領域と前記カレンダ上部の前記上端部とが連結構造により連結されることを特徴とする。
【００１１】
更に、本発明の請求項５に記載のカレンダでは、前記連結構造は、前記カレンダ本体部の前記収容部形成領域に設けられた受入れスリットと、前記カレンダ上部の上端部に設けられた連結挿入片とから構成され、前記カレンダ上部の前記上端部は、前記カレンダ本体部の背面側に折返された前記収容部形成領域を下側から覆うように手前側に折り返され、前記カレンダ上部の前記連結挿入片が前記収容部形成領域の前記受入れスリットに外側から内側に向けて挿入されることを特徴とする。
【発明の効果】
【００１２】
本発明の請求項１に記載のカレンダによれば、カレンダ本体部におけるカレンダ表示領域の下方に収容部形成領域が設けられ、この収容部形成領域を所要の通りに折り込むことより筆記具収容部を組み立てることができるので、この筆記具収容部はカレンダ表示領域の下方に配置され、使い勝手のよい筆記具収容部を備えたカレンダを提供することができる。また、この筆記具収容部の組立は、収容部形成領域の第１領域と第２領域との間の第１境界線、及び第２領域と第３領域との間の第２境界線を谷折りするとともに、枠部領域における第１領域と第２領域との間の第３境界線を山折りし、かかる状態にて第３領域の挿入片領域を枠部領域の内側に挿入すればよく、この筆記具収容部を簡単に且つ見栄えよく組み立てることができる。
【００１３】
また、本発明の請求項２に記載のカレンダによれば、カレンダ本体部、カレンダ上部及びカレンダ表示部がリング状連結部材を介して連結されているので、通常状態においては、カレンダ表示部はカレンダ本体部のカレンダ表示領域に位置し、このカレンダ表示部の表面に表示されたカレンダ情報（例えば、年月日情報など）を見ることができ、また捲り上げた状態においては、カレンダ表示部はカレンダ上部のカレンダ裏面表示領域に位置し、このカレンダ表示部の裏面に表示された図柄、模様などを見ることができる。
【００１４】
また、本発明の請求項３に記載のカレンダによれば、カレンダ上部のカレンダ裏面表示領域に近接して保持片が設けられているので、カレンダ裏面表示領域まで捲り上げた状態のカレンダ表示部をこの保持片により保持することができる。
【００１５】
また、本発明の請求項４に記載のカレンダによれば、壁掛け型使用形態に加えて卓上型使用形態としても使用することができ、カレンダ本体部の収容部形成領域を背面側に折り返し、カレンダ上部の上端部を手前側に折り返し、カレンダ本体部の収容部形成領域及びカレンダ上部の上端部とを連結構造により連結することにより、卓上型使用形態にすることができる。
【００１６】
更に、本発明の請求項５に記載のカレンダによれば、連結構造は、カレンダ本体部の収容部形成領域に設けられた受入れスリットと、カレンダ上部の上端部に設けられた連結挿入片とから構成されているので、カレンダ本体部の背面側に折返された収容部形成領域を下側から覆うようにカレンダ上部を手前側に折り返し、カレンダ上部の連結挿入片を収容部形成領域の受入れスリットに外側から内側に向けて挿入することにより、カレンダ本体部の収容部形成領域及びカレンダ上部の上端部を安定した状態で連結することができ、卓上型使用形態として好都合に用いることができる。
【図面の簡単な説明】
【００１７】
【図１】本発明に従うカレンダの一実施形態の組立前の状態を示す正面図。
【図２】図１のカレンダを壁掛け型使用形態に組み立てた状態を示す斜視図。
【図３】図３（ａ）及び（ｂ）は、壁掛け型使用形態に組み立てる際の組立手順を説明するための部分斜視図。
【図４】図１のカレンダを卓上型使用形態に組み立てた状態を示す斜視図。
【図５】図５（ａ）及び（ｂ）は、卓上型使用形態に組み立てる際の組立手順を説明するための部分斜視図。
【発明を実施するための形態】
【００１８】
以下、添付図面を参照して、本発明に従うカレンダの一実施形態について説明する。図１及び図２において、図示のカレンダは、カレンダ本体部２、カレンダ上部４及びカレンダ表示部６（図２参照）を備え、これらがリング状連結部材８を介して捲り上げ自在に連結されている。この形態では、カレンダ本体部２の表面側に複数のカレンダ表示部６が設けられ、これらカレンダ表示部６の表面側にカレンダ上部４が設けられ、カレンダ本体部２、カレンダ表示部６及びカレンダ上部４の端部の両側に設けられた複数の連結孔１０を通してリング状連結部材８が装着されている。尚、カレンダ本体部２、カレンダ上部４及びカレンダ表示部６は、シート状部材（例えば、厚手の紙など）から形成される。
【００１９】
カレンダ表示部６は、カレンダ情報（例えば、１月の日付情報）が表示されており、各月の日付情報を一つのカレンダ表示部６に表示するようにした場合、１２枚のカレンダ表示部６に１月〜１２月の各月に対応する日付情報が表示される。この形態では、カレンダ本体部２には、図１の上部から中間部にわたって、カレンダ表示部６の表面情報（即ち、カレンダ情報）を表示するためのカレンダ表示領域１２が設けられ、通常状態においては、カレンダ表示部６は、リング状連結部材８から吊り下がった状態でこのカレンダ表示領域１２に位置し、このカレンダ表示部６の表面に表示されたカレンダ情報が露呈する。また、カレンダ上部４には、図１の中間部から下部にわたって、カレンダ表示部６の裏面情報（例えば、図柄、模様などが施されている）を表示するためのカレンダ裏面表示領域１４が設けられ、捲り上げた状態においては、カレンダ表示部６は、リング状連結部材８から上方に捲り上げられた状態でこのカレンダ裏面表示領域１４に位置し、カレンダ表示部６の裏面に施された裏面情報が露呈する。
【００２０】
カレンダ本体部６のカレンダ表示領域１２の下方に、筆記具収容部１６（図２参照）を形成するための収容部形成領域１８が設けられている。この収容部形成領域１８は、筆記具収容部１６の後壁を構成するための第１領域２０、筆記具収容部１６の底壁を構成するための第２領域２２及び筆記具収容部１６の前壁を構成するための第３領域２４を有し、カレンダ本体部６の端部（図１において下端部）に向けてこの順で配設されている。
【００２１】
この第１及び第２領域の両端部２０，２２（カレンダ本体部２の幅方向の両側部）には、これら第１及び第２領域２０，２２にわたって延びる第１スリット２６が設けられ、この第１スリット２６の外側に枠部領域２８が設けられている。また、第３領域２４の両端部には、両端から内側に延びる第２スリット３０が設けられ、この第２スリット３０の下側部（カレンダ本体部２の図１において下端部）に挿入片領域３２が設けられている。更に、第１領域２０の下部（第２領域２２側の部位）に長手方向（カレンダ本体部３２が２の幅方向）に延びる第３スリット３４が設けられ、この第３スリット３４は、後に説明するように、連結機構の受入れスリットとして機能する。
【００２２】
この形態では、更に、カレンダ上部４の上部にが、円弧状の第４スリット３６を形成することによって保持片３８が設けられ、かかる保持片３８は、カレンダ裏面表示領域１４に位置付けられたカレンダ表示部６を保持する作用をする。この形態では、この保持片３８に壁掛け孔３９が設けられ、壁などに掛けて使用する場合、この壁掛け孔３９を通して取付ピン（図示せず）が壁などに取り付けられる。尚、この壁掛け孔３９は、カレンダ上部４の上端部（例えば、挿入片４２など）に設けることもできる。また、カレンダ上部４の上端部には、円弧状の第５スリット４０を形成することによって挿入片４２が設けられ、この挿入片４２は、後に説明するように、連結機構の連結挿入片として機能する。
【００２３】
このカレンダは、壁掛け型使用形態（図２に示す形態）と卓上型使用形態（図４に示す形態）とに選択的に使用することができる。まず、壁掛け型使用形態で使用する場合について説明する。図１〜図３（尚、図２及び図３においては、卓上型使用形態において使用する挿入片４２などは省略して示している）を参照して、壁掛け型使用形態で使用するときには、カレンダ本体部２の収容部形成領域１８を次のように組み立てて筆記具収容部１６を形成し、筆記具収容部１６を備えたカレンダとして用いる。
【００２４】
筆記具収容部１６を組み立てるには、図３（ａ）に示すように、収容部形成領域１８の第１領域２０と第２領域２２との間の第１境界線４４を谷折りし、次いで、第１スリット２６の外側の枠部領域２８の第３境界線４６（第１及び第２領域２０，２２の間の第１境界線４４の延長境界線）を山折りし、このように枠部領域２８を折り込んで筆記具収容部１６の両端部における枠部４７を形成する。
【００２５】
次いで、図３（ｂ）に示すように、収容部形成領域１８の第２領域２２と第３領域２４との間の第２境界線４８を谷折りし、このようにして第１、第２及び第３領域２０，２２，２４によって筆記具収容部１６の受部を形成し、その後、第３領域２４の両端部の挿入片領域３２を、山折りされた枠部領域２８（即ち、枠部４７の垂直部）の内側に挿入し、このようにして筆記具収容部１６を組み立てる。
【００２６】
かく組み立てた状態では、収容部形成領域１８の第３領域２４の第２スリット３０内に枠部４７の垂直部（即ち、枠部領域２８の下部）が挿入されるので、組み立てられた筆記具収容部１６の形態が保持され、カレンダ本体部２の下端部に筆記具収容部１６を簡単に設けることができ、このように下端部に設けることによって、筆記具収容部１６からの筆記具の取出し、筆記具収容部１６に筆記具が収容されているかの確認などを容易に行うことができ、使い勝手のよい筆記具収容部１６となる。
【００２７】
この筆記具収容部１６を備えたカレンダは、カレンダ上部４の壁掛け孔３９を通して取付ピン（図示せず）を壁（図示せず）などに取り付けることによって、壁面などに掛けて使用される。かく取り付けた状態では、図２に示すように、カレンダ上部４は、この取付ピンにより壁面などに取り付けられ、このカレンダ上部４の下端部にリング状連結部材８
を介して、カレンダ本体部２及びカレンダ表示部６が吊り下げられた状態に保持され、カレンダ表示部６は、カレンダ本体部２のカレンダ表示領域１２に位置する。そして、カレンダ表示領域１２にて最も表側に位置するカレンダ表示部６が露呈し、このカレンダ表示部６のカレンダ情報が現在必要とされるカレンダ情報となる。
【００２８】
また、不要となったカレンダ情報のカレンダ表示部６は、上方にカレンダ上部４に捲り上げられて保持片３８の下側に挿入されて保持され、この捲り上げた状態においては、カレンダ表示部６は、カレンダ上部４のカレンダ裏面表示領域１４に位置して保持される。
【００２９】
尚、保持片３８による保持では不充分であるときには、図２に示すように、各カレンダ表示部６に貫通孔５０を設け、取付ピン（図示せず）を壁などに取り付ける際に、カレンダ表示部６の貫通孔５０及びカレンダ上部４の壁掛け孔３９を通して取り付けるようにしてもよく、この場合、捲り上げたカレンダ表示部６及びカレンダ上部４が取付ピンによって壁などに取り付けられる。
【００３０】
次に、卓上型使用形態で使用する場合について説明する。図１とともに図４及び図５（尚、図４及び図５においては、壁掛け型使用形態において使用する第１及び第２スリット２６，３０などは省略して示している）を参照して、卓上型使用形態で使用するときには、カレンダ本体部２の収容部形成領域１８及びカレンダ上部４を次のように組み立てて用いる。
【００３１】
卓上型使用形態として組み立てるには、図５（ａ）に示すように、カレンダ本体部２の収容部形成領域１８との境界線、即ち第３境界線６０を背面側に折り返し、またカレンダ上部４の上端部を第４境界線６２を境にして前側に折り返し、折り返した収容部形成領域１８の下側に、カレンダ上部４の折り返した上端部が位置するようにする。
【００３２】
次いで、図５（ｂ）に示すように、カレンダ上部４の上端部の挿入片４２（連結挿入片）を収容部形成領域１８の第３スリット３４（受入れスリット）に外側から内側に向けて挿入され、このようにして卓上型使用形態（図４に示す）のカレンダを組み立てることができる。筆記具収容部１６を組み立てる。
【００３３】
この卓上型使用形態では、背面側に折り返された収容部形成領域１８及び前面側に折り返されたカレンダ上部４の上端部が卓上型カレンダの載置部を構成し、この載置部が机などに載置される。そして、前面側に向けて下方に傾斜するカレンダ本体部２にリング状連結部材８を介してカレンダ表示部６が吊り下げられ、カレンダ表示領域１２にて最も表側に位置するカレンダ表示部６が露呈する。
【００３４】
また、カレンダ上部４は背面側に向けて下方に傾斜して延び、不要となったカレンダ情報のカレンダ表示部６は、カレンダ上部４に捲り返されてリング状連結部材８を介して吊り下げられてカレンダ裏面表示領域１４に位置する。
【００３５】
尚、この形態では、カレンダ本体部２の収容部形成領域１８の下側にカレンダ上部４の上端部を位置付けて重ねているが、これとは反対に、カレンダ上部４の上端部の下側にカレンダ本体部２の収容部形成領域１８を位置付けて重ねるようにしてもよく、この場合、カレンダ上部４の上端部の挿入片４２（連結挿入片）を収容部形成領域１８の第３スリット３４（受入れスリット）に内側から外側に向けて挿入するようになる。
【００３６】
以上、本発明に従うカレンダの一実施形態について説明したが、本発明はかかる実施形態に限定するものではなく、本発明の範囲を逸脱することなく種々の変更乃至修正が可能である。
【００３７】
例えば、上述した実施形態では、壁掛け型使用形態及び卓上型使用形態に選択的に使用できるものに適用して説明したが、筆記部収容部に関する構造は、壁掛け型使用形態にのみ使用できるものにも適用することができる。
【符号の説明】
【００３８】
２  カレンダ本体部
４  カレンダ上部
６  カレンダ表示部
８  リング状連結部材
１２  カレンダ表示領域
１４  カレンダ裏面表示領域
１６  筆記具収容部
１８  収容部形成領域
２０  第１領域
２２  第２領域
２４  第３領域
２６第１スリット
２８  枠部領域
３０  第２スリット
３２  挿入片領域
４４  第１境界線
４６  第２境界線
【図１】
2014108551.tif 000003
【図２】
2014108551.tif 000004
【図３】
2014108551.tif 000005
【図４】
2014108551.tif 000006
【図５】
2014108551.tif 000007